(57)【要約】【課題】肩全体に掛かる動的な力を平均化することができる肩掛け式携帯小物入れを提供する。【解決手段】ショルダーバック（肩掛け式携帯小物入れ）１０において、ベルト部２の両端にそれぞれ接続されたワイヤ４は、バック部１のバック上縁１ｂに設けられた鳩目４ａを貫通してバック表部１ａとバック裏部１ｃとの間に配置され、鳩目４ａに当接可能なコイルスプリング３を貫通した状態で、端部に止め部材４ｂが設置されている。したがって、バック部１に作用する動的荷重は、コイルスプリング３を介してベルト部２に伝わるから、コイルスプリング３の弾性変形（収縮）によって吸収され、平均化される。【選択図】図１
2017124139.tif 000002
【特許請求の範囲】
【請求項１】
小物を収容するバック部と、前記バック部に伸縮部材を介して接続されたベルト部とを有することを特徴とする肩掛け式携帯小物入れ。
【請求項２】
小物を収容するバック部と、前記バック部に接続されたベルト部とを有し、
前記ベルト部に伸縮部材が設置されていることを特徴とする肩掛け式携帯小物入れ。
【請求項３】
前記伸縮部材を所定の長さ以上に伸縮不可能にするストッパーを有することを特徴とする請求項１または２記載の肩掛け式携帯小物入れ。
【発明の詳細な説明】
【技術分野】
【０００１】  本発明は肩掛け式携帯小物入れに関する。
【背景技術】
【０００２】  従来、ショルダーバックやナップザック等（本発明において「肩掛け式携帯小物入れ」と称す）は、重さを肩で受けて手が空くため、歩行の邪魔にならずに使い勝手がよいことから、広く用いられている。そして、肩へのベルトの食い込みおよびベルトの滑りを防止するためのベルト用パッドが開示されている（例えば、特許文献１参照）。
【先行技術文献】
【特許文献】
【０００３】
【特許文献１】特開２００１−１１２５３４号公報（第２頁、図１）
【発明の概要】
【発明が解決しようとする課題】
【０００４】  特許文献１に開示された発明（ショルダーバック等の肩掛けベルト用パッド）は、長手方向に略等間隔に配置された複数の肩当てを具備するものであって、一方の側縁（例えば首側）から他方の側縁（例えば腕側）に向かって厚くなる肩当てと、一方の側縁（例えば首側）から他方の側縁（例えば腕側）に向かって薄くなる肩当てとが、交互に配置されたものである。そのため、肩にフィットし、位置ズレもなく快適な使用感が得られるとしている。
しかしながら、肩の一部分への食い込みは緩和されるものの、肩全体に掛かる動的な力は変動し、特に、走行時、階段の昇降時あるいは坂道の歩行時には大きな変動幅（荷重のピーク）が生じるという問題があった。このため、携帯時の快適性が損なわれていた。【０００５】  本発明は、このような状況に鑑みてなされたものであり、肩全体に掛かる動的な力を平均化することができる肩掛け式携帯小物入れを提供することにある。
【課題を解決するための手段】
【０００６】  （１）本発明に係る肩掛け式携帯小物入れは、小物を収容するバック部と、前記バック部に伸縮部材を介して接続されたベルト部とを有することを特徴とする。
（２）また、本発明に係る肩掛け式携帯小物入れは、小物を収容するバック部と、前記バック部に接続されたベルト部とを有し、前記ベルト部に伸縮部材が設置されていることを特徴とする。
（３）さらに、前記伸縮部材を所定の長さ以上に伸縮不可能にするストッパーを有することを特徴とする。
【発明の効果】
【０００７】  本発明に係る肩掛け式携帯小物入れは、以上の構成であって、バック部に収納された小物の動的荷重の変動は伸縮部材によって吸収されるため、肩に掛かる動的な力は平均化される。よって、携帯時の快適性が向上する。
【図面の簡単な説明】
【０００８】
【図１】本発明の実施の形態１に係る肩掛け式携帯小物入れを説明するものであって、（ａ）は全体を示す斜視図、（ｂ）は一部を拡大して示す斜視図である。
【図２】本発明の実施の形態１に係る肩掛け式携帯小物入れ説明するものであって、（ａ）は肩に掛かる力を測定した測定結果を示す荷重−時間線図、（ｂ）は比較材における肩に掛かる力を測定した測定結果を示す荷重−時間線図である。
【図３】本発明の実施の形態２に係る肩掛け式携帯小物入れを説明する斜視図である。
【発明を実施するための形態】
【０００９】  ［実施の形態１］
図１および図２は本発明の実施の形態１に係る肩掛け式携帯小物入れを説明するものであって、図１の（ａ）は全体を示す斜視図、図２の（ｂ）は一部を拡大して示す斜視図、図２の（ａ）は肩に掛かる力を測定した測定結果を示す荷重−時間線図、図２の（ｂ）は比較材における肩に掛かる力を測定した測定結果を示す荷重−時間線図である。なお、図１は模式的に描かれたものであって、本発明は図示された形態（部位の形状や数量等）に限定されるものではない。
【００１０】  図１において、ショルダーバック（肩掛け式携帯小物入れに同じ）１０は、小物を収容するバック部１と、バック部１にコイルスプリング（伸縮部材に同じ）３を介して接続されたベルト部２とを有する。
バック部１は袋状であって、バック表部１ａは、バック上縁１ｂにおいて内側に折り反され、当該内側がバック裏部１ｃとなっている。
ベルト部２の両端にはワイヤ４がそれぞれ接続され、ワイヤ４はバック上縁１ｂに設けられた鳩目４ａを貫通して、バック表部１ａとバック裏部１ｃとの間に侵入している。また、バック表部１ａとバック裏部１ｃとの間には、鳩目４ａに当接可能な（鳩目４ａを通過不可能な）コイルスプリング３が配置されている。
すなわち、ワイヤ４は略Ｕ字状に曲げられ、ワイヤ４の略円弧部分はベルト部２の端部に保持された円筒４ｄを貫通し、ワイヤ４の一対の略直線部分の一部は束ね部材４ｃによって束ねられた後、それぞれ別々の鳩目４ａおよびコイルスプリング３を貫通し、ワイヤ４の両端部に止め部材４ｂが設置されている。
【００１１】  このため、コイルスプリング３は、ワイヤ４から抜け出し不可能で、鳩目４ａと止め部材４ｂとの間で移動可能および収縮可能になっている。
したがって、バック部１に小物が収容された状態で、ベルト部２が使用者（図示しない）の肩に掛けられた場合、小物の荷重は鳩目４ａおよびコイルスプリング３を経由して止め部材４ｂに伝わる。すなわち、止め部材４ｂはワイヤ４に固定されているから、小物の荷重はコイルスプリング３を介してベルト部２に伝わる。
そうすると、コイルスプリング３は弾性変形（収縮）するから、小物の動的荷重はコイルスプリング３によって吸収され、肩に掛かる動的な力は平均化される。すなわち、階段を降りる際等で、肩に掛かる動的な力のピークが緩和されて、携帯時の快適性が向上する
【００１２】  なお、バック部１、ベルト部２およびワイヤ４等を形成する材質は限定されるものではなく、例えば、コイルスプリング３に代えてゴムや合成樹脂等を用いてもよい。
また、本発明は図示した形態に限定するものではない。例えば、コイルスプリング３がコイルスプリング３の自然長（圧縮力が作用しないときの長さ）よりも短い円筒を貫通するようにして、当該円筒の長さをコイルスプリング３の最大圧縮長さとするストッパーとしてもよい。また、例えば、ワイヤ４を曲げることなく略直線状にしてもよい。このとき、束ね部材４ｃは不要になり、鳩目４ａおよびワイヤ４は、ベルト部２の片方の端毎に各１個になる。
【００１３】  図２は、小物を収容したショルダーバック１０を肩に掛けて歩行した際に、肩に掛かる動的な力を測定した測定結果であって、（ａ）は本発明のショルダーバック１０、（ｂ）はコイルスプリング３を撤去した比較材で、それぞれ、縦軸は動的な力（ｋＰａ）、横軸は時間（秒）である。
比較材を示す図２の（ｂ）において、動的な力は、瞬間的に（比較的短い時間において）略１ｋＰａのピークが現れ、測定時間内で略３ｋＰａの変動幅がある。
一方、本発明のショルダーバック１０を示す図２の（ｂ）では、動的な力は、瞬間的（比較的短い時間において）に略０．５ｋＰａのピークが現れるに止まり、測定時間内では略１ｋＰａ以下の変動幅に抑えられている。なお、２回の測定結果の平均値が相違するのは収容した小物の重量が相違するためである。
以上のように、本発明のショルダーバック１０では、動的な力は、コイルスプリング３の弾性変形（収縮）によって吸収され、瞬間的な（比較的短い時間における）ピークが消滅し、平均化されることが確認される。
【００１４】  ［実施の形態２］
図３は本発明の実施の形態２に係る肩掛け式携帯小物入れを説明する斜視図である。なお、実施の形態１と同じ部位または相当する部位には同じ名称および符号を付し、説明を省略する。
図３において、ショルダーバック（肩掛け式携帯小物入れに同じ）２０は、小物を収容するバック部１と、バック部１に接続されたベルト部２とを有し、ベルト部２にゴム（伸縮部材に同じ）５が設置されている。すなわち、ゴム５の両端は位置２ａと位置２ｂとにそれぞれ接続され、ベルト部２における位置２ａと位置２ｂとの距離は、ゴム５の自然長（引っ張り力が作用しないときの長さ）よりも長くなっている。
したがって、実施の形態１に示すショルダーバック１０と同様に、バック部１に作用する動的荷重は、ゴム５の弾性変形（伸び）によって吸収され、瞬間的な（比較的短い時間における）ピークが消滅して平均化されるから、使用時の快適性が向上する。
【００１５】  そして、バック部１に収容された小物が重い場合であっても、ゴム５は、ベルト部２の位置２ａと位置２ｂとの距離以上に伸びることはない。すなわち、ベルト部２の位置２ａと位置２ｂとの間がストッパー６として機能するため、ゴム５の劣化や破断が防止される。
なお、本発明は図示した形態に限定するものではなく、ゴム５に代えて合成樹脂を用いてもよく、さらに、ベルト部２を切断して、切断部同士をコイルスプリングで連結し、さらに、切断部同士をコイルスプリングの自然長よりも長いワイヤによって連結し、これをコイルスプリングの内部に収容してストッパーとしてもよい。
【産業上の利用可能性】
【００１６】  本発明は以上であるから、ショルダーバックに限定されることなく、ゴルフバック、リックサック、ランドセル等の各種肩掛け式携帯小物入れとして広く利用することができる。
【符号の説明】
【００１７】１  ：バック部
１ａ：バック表部
１ｂ：バック上縁
１ｃ：バック裏部
２  ：ベルト部
３  ：コイルスプリング
４  ：ワイヤ
４ａ：鳩目
４ｂ：止め部材
４ｃ：束ね部材
４ｄ：円筒
５  ：ゴム、
６  ：ストッパー
１０：ショルダーバック
２０：ショルダーバック
【図１】
2017124139.tif 000003
【図２】
2017124139.tif 000004
【図３】
2017124139.tif 000005